(57)【特許請求の範囲】
【請求項１】
患者の生体情報を測定する生体情報測定システムにおいて、
特定の患者の複数種類の生体情報をそれぞれ測定する複数の測定手段と、
所定の選択基準に基づいて、前記測定手段によって測定された複数種類の生体情報それぞれのうちから記録として残す生体情報の種類ごとの記録生体情報を選択する選択手段と、
前記選択手段によって選択された記録生体情報を、事後的に確認可能なように記録する記録手段とを備え、
前記生体情報測定システムは、複数の前記測定手段をそれぞれ備える複数の測定装置を含み、
前記測定装置のうちの１つである主測定装置は、さらに、
前記選択手段を備え、
前記選択手段は、他の測定装置から収集した複数種類の生体情報のそれぞれのうちから前記記録生体情報を選択し、
前記主測定装置は、さらに、
前記選択手段によって選択された生体情報の種類ごとの記録生体情報を、前記選択手段によって選択されていない他の生体情報と区別可能にまとめて表示する表示手段と、
前記表示手段によって表示された記録生体情報を記録するか否かの確認の入力を受付ける確認受付手段とを備え、
前記記録手段は、前記確認受付手段によって記録するとの入力が受付けられた記録生体情報を記録する、生体情報測定システム。
【請求項２】
前記選択手段は、生体情報の種類ごとに各時間帯ごとの最新の生体情報を選択するという選択基準に基づいて、前記生体情報を選択する、請求項１に記載の生体情報測定システム。
【請求項３】
前記測定手段によって測定された生体情報の信頼度を算出する算出手段をさらに備え、
前記選択手段は、前記算出手段によって算出された信頼度が所定値以上の生体情報を選択するという選択基準に基づいて、前記生体情報を選択する、請求項１に記載の生体情報測定システム。
【請求項４】
前記生体情報測定システムは、さらに、前記記録手段を備えるサーバを含む、請求項１に記載の生体情報測定システム。
【請求項５】
前記測定装置は、計時機能付測定装置と計時機能無測定装置とを含み、
前記計時機能付測定装置は、さらに、
前記測定手段によって生体情報が測定された時刻を特定する計時手段を備え、
前記記録手段は、前記選択手段によって選択された記録生体情報のうち、前記計時機能付測定装置の前記測定手段によって測定された記録生体情報の測定時刻として、前記計時手段によって特定された時刻を記録するとともに、前記計時機能無測定装置の前記測定手段によって測定された記録生体情報の測定時刻として、前記計時手段によって特定された時刻を記録する、請求項１または請求項４に記載の生体情報測定システム。
【請求項６】
前記測定装置は、計時機能付測定装置と計時機能無測定装置とを含み、
前記計時機能付測定装置は、さらに、
前記測定手段によって生体情報が測定された時刻を特定する計時手段を備え、
前記記録手段は、前記選択手段によって選択された記録生体情報のうち、前記計時機能付測定装置の前記測定手段によって測定された記録生体情報の測定時刻として、前記計時手段によって特定された時刻を記録するとともに、前記計時機能無測定装置の前記測定手段によって測定された記録生体情報の測定時刻として、前記計時機能無測定装置から前記計時機能付測定装置に前記生体情報が送信された時刻を記録する、請求項１または請求項４に記載の生体情報測定システム。
【発明の詳細な説明】
【技術分野】
【０００１】
この発明は、生体情報測定システムに関し、特に、生体情報を記録するのに適した生体情報測定システムに関する。
【背景技術】
【０００２】
病棟に入院している患者の体温を計測する検温業務などの生体情報計測業務における、生体情報を計測する複数の生体情報計測機器（たとえば血圧計、体温計、および、パルスオキシメータなど、）からそれぞれ得られる複数の生体情報（たとえば、血圧、体温、および、経皮的動脈血酸素飽和度（ＳｐＯ2）など）の記録においては、一旦、生体情報計測機器から生体情報を目で読取って、読取った生体情報を記録用紙等に手書きで記録し、その後、電子カルテシステムなどのシステムに、記録用紙等に記録した生体情報を入力するという流れが主流である。
【０００３】
また、ペン型のポインティングデバイス等で入力された医療情報を保存するシステムがあった（特許文献１の段落［００７５］、［図１４］）。
【先行技術文献】
【特許文献】
【０００４】
【特許文献１】特開平９−１７１５２８号公報
【発明の概要】
【発明が解決しようとする課題】
【０００５】
しかし、主流の方法では、１つの生体情報の記録のために複数回の読取りや書込みが必要なため、生体情報の記録忘れや記録ミスが生じるだけでなく、手書きで記録したものを、再度、システムに入力するという二重の手間が掛かるため、無駄な時間が生じるといった問題があった。
【０００６】
また、特許文献１の技術によれば、入力者が誤記をすれば、誤記を含む情報がそのまま保存されてしまうといった問題があった。
【０００７】
この発明は、上述の問題を解決するためになされたものであり、その目的の１つは、効率よく信頼性の高い生体情報を確実に記録することが可能な生体情報測定システムを提供することである。
【課題を解決するための手段】
【０００８】
上述の目的を達成するために、この発明のある局面によれば、生体情報測定システムは、患者の生体情報を測定するシステムであって、特定の患者の複数種類の生体情報をそれぞれ測定する複数の測定部と、所定の選択基準に基づいて、測定部によって測定された複数種類の生体情報それぞれのうちから記録として残す生体情報の種類ごとの記録生体情報を選択する選択部と、選択部によって選択された記録生体情報を、事後的に確認可能なように記録する記録部とを備える。
【０００９】
好ましくは、生体情報測定システムは、選択部によって選択された記録生体情報を記録するか否かの確認の入力を受付ける確認受付部をさらに備える。記録部は、確認受付部によって記録するとの入力が受付けられた記録生体情報を記録する。
【００１０】
好ましくは、選択部は、生体情報の種類ごとに各時間帯ごとの最新の生体情報を選択するという選択基準に基づいて、生体情報を選択する。
【００１１】
好ましくは、生体情報測定システムは、測定部によって測定された生体情報の信頼度を算出する算出部をさらに備え、選択部は、算出部によって算出された信頼度が所定値以上の生体情報を選択するという選択基準に基づいて、生体情報を選択する。
【００１２】
好ましくは、生体情報測定システムは、複数の測定部をそれぞれ備える複数の測定装置と、記録部を備えるサーバとを含む。
【００１３】
好ましくは、生体情報測定システムは、複数の測定部をそれぞれ備える複数の測定装置を含み、測定装置のうちの１つは、さらに、選択部を備える。
【００１４】
さらに好ましくは、測定装置は、計時機能付測定装置と計時機能無測定装置とを含み、計時機能付測定装置は、さらに、測定部によって生体情報が測定された時刻を特定する計時部を備え、記録部は、選択部によって選択された記録生体情報のうち、計時機能付測定装置の測定部によって測定された記録生体情報の測定時刻として、計時部によって特定された時刻を記録するとともに、計時機能無測定装置の測定部によって測定された記録生体情報の測定時刻として、計時部によって特定された時刻を記録する。
【００１５】
さらに好ましくは、測定装置は、計時機能付測定装置と計時機能無測定装置とを含み、計時機能付測定装置は、さらに、測定部によって生体情報が測定された時刻を特定する計時部を備え、記録部は、選択部によって選択された記録生体情報のうち、計時機能付測定装置の測定部によって測定された記録生体情報の測定時刻として、計時部によって特定された時刻を記録するとともに、計時機能無測定装置の測定部によって測定された記録生体情報の測定時刻として、計時機能無測定装置から計時機能付測定装置に生体情報が送信された時刻を記録する。
【発明の効果】
【００１６】
この発明に従えば、生体情報測定システムによって、特定の患者の複数種類の生体情報がそれぞれ測定され、所定の選択基準に基づいて、測定された複数種類の生体情報それぞれのうちから記録として残す生体情報の種類ごとの記録生体情報が選択され、選択された記録生体情報が、事後的に確認可能なように記録される。
【００１７】
その結果、効率よく信頼性の高い生体情報を確実に記録することが可能な生体情報測定システムを提供することができる。
【図面の簡単な説明】
【００１８】
【図１】この発明の第１の実施の形態における生体情報測定システムのシステム構成を示す図である。
【図２】第１の実施の形態における生体情報測定システムに含まれる生体情報測定機器の構成の概略を示すブロック図である。
【図３】第１の実施の形態における生体情報測定システムに含まれるサーバの構成の概略を示すブロック図である。
【図４】第１の実施の形態におけるホストの生体情報測定機器で実行される記録情報確定処理の流れを示すフローチャートである。
【図５】第１の実施の形態におけるホストの生体情報測定機器の未測定時の表示画面を示す図である。
【図６】第１の実施の形態におけるホストの生体情報測定機器の測定終了時の表示画面を示す図である。
【図７】第１の実施の形態におけるホストの生体情報測定機器の確定候補の表示画面を示す図である。
【図８】第１の実施の形態におけるホストの生体情報測定機器の測定し直し後の確定候補の表示画面を示す図である。
【図９】第１の実施の形態におけるホストの生体情報測定機器の確定を確認する表示画面を示す図である。
【図１０】第１の実施の形態におけるホストの生体情報測定機器の確定後の確定候補の表示画面を示す図である。
【図１１】第２の実施の形態におけるホストの生体情報測定機器の確定候補の表示画面を示す図である。
【図１２】第３の実施の形態における生体情報測定システムのシステム構成を示す図である。
【図１３】第３の実施の形態におけるホストの生体情報測定機器の未測定時の表示画面を示す図である。
【図１４】第３の実施の形態におけるホストの生体情報測定機器の測定終了時の表示画面を示す図である。
【図１５】第３の実施の形態におけるホストの生体情報測定機器の確定候補の表示画面を示す図である。
【発明を実施するための形態】
【００１９】
以下、この発明の実施の形態について、図面を参照しながら詳細に説明する。なお、図中の同一または相当部分については、同一符号を付してその説明は繰返さない。
【００２０】
［第１の実施の形態］
図１は、この発明の第１の実施の形態における生体情報測定システム１０Ａのシステム構成を示す図である。図１を参照して、生体情報測定システム１０Ａは、ホストの生体情報測定機器（以下「生体情報測定装置」ともいう）１００としての血圧計１００Ａと、体温計１００Ｂと、パルスオキシメータ１００Ｃと、サーバ２００とを含む。
【００２１】
血圧計１００Ａは、カフ１５１を被測定者の腕に巻付けることで、被測定者の最高血圧、最低血圧および脈拍等を測定する生体情報測定機器１００である。
【００２２】
体温計１００Ｂは、被測定者の体温を測定する生体情報測定機器１００である。パルスオキシメータ１００Ｃは、プローブを被測定者の指先などに装着して、非侵襲で経皮的動脈血酸素飽和度（ＳｐＯ2）等を測定する生体情報測定機器１００である。
【００２３】
この実施の形態においては、後述するように、血圧計１００Ａ、体温計１００Ｂおよびパルスオキシメータ１００Ｃで測定された生体情報が、ホストの生体情報測定機器１００である血圧計１００Ａで収集されて、選択確定された生体情報が、サーバ２００に送信されて蓄積される。
【００２４】
図２は、第１の実施の形態における生体情報測定システム１０Ａに含まれる生体情報測定機器１００の構成の概略を示すブロック図である。図２を参照して、この実施の形態における血圧計１００Ａ、体温計１００Ｂおよびパルスオキシメータ１００Ｃなどの生体情報測定機器１００は、制御部１１０と、メモリ１２０と、操作部１３０と、表示部１４０と、測定部１５０と、通信部１９０とを含む。
【００２５】
操作部１３０は、操作ボタンなどの操作デバイスが操作者によって操作されたことに応じて、操作された内容に応じた操作信号を制御部１１０に送信する。
【００２６】
測定部１５０は、血圧計１００Ａの血圧等を測定するためのセンサを内蔵するカフ１５１、体温計１００Ｂのサーミスタまたは赤外線検知回路を内蔵する検温部、パルスオキシメータ１００Ｃの発光部と受光部とを備えるプローブなどの生体情報を測定するためのセンサを含む部分であり、センサによる検知信号を制御部１１０に送信する。
【００２７】
メモリ１２０は、生体情報測定機器１００を制御するためのプログラムのデータ、生体情報測定機器１００を制御するために用いられるデータ、生体情報測定機器１００の各種機能を設定するための設定データ、および、測定結果のデータなどを記憶する。また、メモリ１２０は、プログラムが実行されるときのワークメモリなどとして用いられる。
【００２８】
制御部１１０は、ＣＰＵ（Central Processing Unit）を含み、メモリ１２０に記憶された生体情報測定機器１００を制御するためのプログラムに従って、操作部１３０からの操作信号に応じて、測定部１５０からの検知信号に基づいて、メモリ１２０、表示部１４０、および、通信部１９０を制御する。
【００２９】
表示部１４０は、ディスプレイおよびインジケータ等を含み、制御部１１０からの制御信号に従って所定の情報を表示する。
【００３０】
通信部１９０は、制御部１１０によって制御されて所定の情報を、通信ネットワーク９００を介して外部の装置に送信したり、外部の装置からの情報を、通信ネットワーク９００を介して受信して制御部１１０に受け渡したりする。
【００３１】
図３は、第１の実施の形態における生体情報測定システム１０Ａに含まれるサーバ２００の構成の概略を示すブロック図である。図３を参照して、この実施の形態におけるサーバ２００は、制御部２１０と、記憶部２２０と、操作部２３０と、表示部２４０と、通信部２９０とを含む。
【００３２】
この実施の形態において、通信ネットワーク９００は、病院内ＬＡＮ（Local Area Network）であるが、これに限定されず、インターネットを介したネットワークのような他の種類のネットワークであってもよいし、ＵＳＢ（Universal Serial Bus）ケーブルなどを用いた１対１の通信であってもよい。
【００３３】
制御部２１０は、ＣＰＵ（Central Processing Unit）およびその補助回路を含み、サーバ２００の各部を制御し、記憶部２２０に記憶されたプログラムおよびデータに従って所定の処理を実行し、操作部２３０、および、通信部２９０から入力されたデータを処理し、処理したデータを、記憶部２２０に記憶させたり、表示部２４０で表示させたり、通信部２９０から出力させたりする。
【００３４】
記憶部２２０は、制御部２１０でプログラムを実行するために必要な作業領域として用いられるＲＡＭ（Random Access Memory）と、制御部２１０で実行するための基本的なプログラムを記憶するためのＲＯＭ（Read Only Memory）とを含む。また、記憶部２２０の記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disk）、ＢＤ（Blu-ray Disc））、光磁気ディスク（ＭＯ（Magneto-Optical disk））、または、半導体メモリ（メモリカード、ＳＳＤ（Solid State Drive））などが用いられてもよい。
【００３５】
操作部２３０は、キーボードおよびマウスで構成され、ユーザによる操作を示す操作信号を制御部２１０に送信する。また、操作部２３０は、キーボードおよびマウスに替えて、または、加えて、タッチパネルなどの他の操作デバイスで構成されるようにしてもよい。
【００３６】
表示部２４０は、ディスプレイ（たとえば、ＬＣＤ（Liquid Crystal Display））を含む。表示部２４０は、制御部２１０によって制御されて、所定の映像をディスプレイに表示させる。
【００３７】
通信部２９０は、制御部２１０からの情報を通信ネットワーク９００を介して他の装置に送信するとともに、他の装置から通信ネットワークを介して送信されてきた情報を受信して制御部２１０に受渡す。
【００３８】
図４は、第１の実施の形態におけるホストの生体情報測定機器１００で実行される記録情報確定処理の流れを示すフローチャートである。図４を参照して、生体情報測定機器１００のホスト（本実施の形態においては、血圧計１００Ａ）の制御部１１０は、ステップＳ１０１で、データ収集のタイミング（たとえば、１時間ごと）であるか否かを判断する。データ収集のタイミングであると判断した場合（ステップＳ１０１でＹＥＳと判断した場合）、自機および通信ネットワーク９００を介して接続されている他の生体情報測定機器１００、ここでは、体温計１００Ｂおよびパルスオキシメータ１００Ｃから、生体情報を収集する。
【００３９】
図５は、第１の実施の形態におけるホストの生体情報測定機器１００の未測定時の表示画面を示す図である。図５を参照して、各生体情報測定機器１００を接続して電源を投入した直後など、いずれの生体情報測定機器１００の生体情報も測定されていない場合は、ホストの生体情報測定機器１００（本実施の形態においては、血圧計１００Ａ）の表示部１４０には、被測定者である患者を識別するための患者ＩＤ、患者名、および、各生体情報の名称が表示される。そして、それぞれの生体情報のデータの表示箇所に「未測定」との文字が表示される。
【００４０】
図６は、第１の実施の形態におけるホストの生体情報測定機器１００の測定終了時の表示画面を示す図である。図６を参照して、上述した図４のステップＳ１０２で、各生体情報測定機器１００からデータが収集されると、ホストの生体情報測定機器１００（本実施の形態においては、血圧計１００Ａ）の表示部１４０の「未測定」と表示されていた生体情報のデータの表示箇所に、それぞれの生体情報のデータが表示される。
【００４１】
図４に戻って、ステップＳ１０２の後、および、データ収集のタイミングでないと判断した場合（ステップＳ１０１でＮＯと判断した場合）、ステップＳ１１１で、制御部１１０は、収集された生体情報の履歴を確認する操作が、操作者（たとえば、看護師）によって操作部１３０で行なわれたか否かを判断する。
【００４２】
生体情報の履歴を確認する操作が行なわれたと判断した場合（ステップＳ１１１でＹＥＳと判断した場合）、ステップＳ１１２で、制御部１１０は、前回、確定操作が行なわれた時間以降の、収集した生体情報の履歴を表示部１４０に表示させ、その履歴のうち各生体情報の最新のものを確定候補として表示させる。本実施の形態においては、図７で示すように、確定候補のデータを枠付きで表示させる。しかし、これに限定されず、確定候補のデータを他のデータと区別可能なように表示させるのであれば、他の方法であってもよく、文字の色を異ならせてもよいし、網掛けであってもよいし、反転表示であってもよい。
【００４３】
図７は、第１の実施の形態におけるホストの生体情報測定機器１００の確定候補の表示画面を示す図である。本実施の形態においては、血圧計１００Ａが、生体情報が測定された時刻を特定可能な計時機能を有する。体温計１００Ｂおよびパルスオキシメータ１００Ｃは、計時機能を有さない。
【００４４】
図７を参照して、履歴の１行目では、血圧計１００Ａで、２０１０年４月１日の１２時０分に測定された最高血圧、最低血圧および脈拍がそれぞれ128mmHg、78mmHg、68bpmであることが示される。２行目では、体温計１００Ｂから、２０１０年４月１日の１２時１分に受信された体温が36.5℃であることが示される。
【００４５】
３行目では、血圧計１００Ａで、２０１０年４月１日の１７時３０分に測定された最高血圧、最低血圧および脈拍がそれぞれ120mmHg、68mmHg、65bpmであること、および、これらのデータが、現在の時点で最新のデータであるので枠付きで表示され、確定候補であることが示される。
【００４６】
４行目では、体温計１００Ｂから、２０１０年４月１日の１７時３１分に受信された体温が36.2℃であること、および、このデータが、現在の時点で最新のデータであるので枠付きで表示され、確定候補であることが示される。
【００４７】
５行目では、パルスオキシメータ１００Ｃから、２０１０年４月１日の１７時３２分に受信されたＳｐＯ2が99％であること、および、このデータが、現在の時点で最新のデータであるので枠付きで表示され、確定候補であることが示される。
【００４８】
この確定候補を操作者（たとえば、看護師）が確認して疑義を持った場合は、疑義を持った生体情報の生体情報測定装置１００で再度、被測定者の生体情報を測定し直す。そして、再測定された生体情報測定装置１００がホストでなければ、測定された生体情報がホストの生体情報測定装置１００に送信される。
【００４９】
図４に戻って、ステップＳ１１２の後、および、生体情報の履歴の確認操作がないと判断した場合（ステップＳ１１１でＮＯと判断した場合）、ステップＳ１１３で、制御部１１０は、当該機器で測定し直しされたか否か、または、他の生体情報測定機器１００から測定し直したデータを受信したか否かを判断する。
【００５０】
測定し直しされたと判断した場合（ステップＳ１１３でＹＥＳと判断した場合）、ステップＳ１１４で、制御部１１０は、測定し直した生体情報を確定候補として表示部１４０に表示する。
【００５１】
図８は、第１の実施の形態におけるホストの生体情報測定機器１００の測定し直し後の確定候補の表示画面を示す図である。ここでは、生体情報のうち図７の履歴の４行目の確定表示の体温の36.2℃に疑義を持った場合を示す。この場合は、体温計１００Ｂで体温が再度、計測され、計測された体温のデータがホストの生体情報測定機器１００の血圧計１００Ａに送信される。
【００５２】
図８を参照して、図７で確定表示であった３行目の体温のデータの枠が外され、新たに、６行目で、体温計１００Ｂから、２０１０年４月１日の１７：３３に受信された体温が36.5℃であること、および、このデータが、現在の時点で最新のデータであるので枠付きで表示され、確定候補であることが示される。
【００５３】
図４に戻って、ステップＳ１１４の後、および、測定し直しされていないと判断した場合（ステップＳ１１３でＮＯと判断した場合）、ステップＳ１１５で、確定候補の生体情報を確定させる確定操作が、操作者（たとえば、看護師）によって操作部１３０で行なわれたか否かを判断する。
【００５４】
確定操作が行なわれたと判断した場合（ステップＳ１１５でＹＥＳと判断した場合）、ステップＳ１１６で、制御部１１０は、確定確認画面を表示部１４０に表示させる。
【００５５】
図９は、第１の実施の形態におけるホストの生体情報測定機器１００の確定を確認する表示画面を示す図である。図９を参照して、図８で説明した画面での確定候補が、１つの行にまとめて表示される。このとき、計時機能を有する生体情報測定機器１００の測定時刻が、代表の時刻とされる。そして、確定確認画面には、確定候補の生体情報を確定してもよいか否かを確認する表示が含まれる。
【００５６】
図４に戻って、ステップＳ１１７で、制御部１１０は、確定確認画面が表示されているときに確定候補の生体情報を確定させる確定操作が、操作者（たとえば、看護師）によって操作部１３０で行なわれたか否かを判断する。確定操作が行なわれていないと判断した場合（ステップＳ１１７でＮＯと判断した場合）、制御部１１０は、ステップＳ１１７の処理を繰返す。
【００５７】
一方、確定操作が行なわれたと判断した場合（ステップＳ１１７でＹＥＳと判断した場合）、ステップＳ１１８で、制御部１１０は、確定候補の生体情報を、当該被測定者の確定生体情報として、通信ネットワーク９００を介してサーバ２００に送信するよう通信部１９０を制御する。
【００５８】
ステップＳ１１８の後、および、確定確認画面が表示されていない状態で確定操作が行なわれていないと判断した場合（ステップＳ１１５でＮＯと判断した場合）、制御部１１０は、実行する処理をステップＳ１０１の処理に戻す。
【００５９】
図１０は、第１の実施の形態におけるホストの生体情報測定機器１００の確定後の確定候補の表示画面を示す図である。図１０を参照して、確定生体情報がサーバ２００に送信された後に、ステップＳ１１１で確認操作が行なわれたと判断されると、確定操作後の履歴が画面に表示可能な件数に達するまでの間は、１行目で示されるように、前回確定された確定生体情報が表示される。
【００６０】
以上説明したように、第１の実施の形態の生体情報測定システム１０Ａによれば、次のような効果が奏される。
【００６１】
（１）  生体情報測定システム１０Ａは、患者などの被測定者の生体情報を測定するシステムである。生体情報測定システム１０Ａは、特定の患者の複数種類の生体情報をそれぞれ測定する複数の生体情報測定装置１００を備える。生体情報測定システム１０Ａによって、図４のステップＳ１１２で説明したように、所定の選択基準（本実施の形態においては、最新の生体情報を選択するという基準）に基づいて、生体情報測定装置１００によって測定された複数種類の生体情報それぞれのうちから記録として残す生体情報の種類ごとの記録生体情報が選択され、図４のステップＳ１１８で説明したように、選択された記録生体情報が、事後的に確認可能なようにサーバ２００で記録される。
【００６２】
このように、生体情報測定システム１０Ａによって、特定の患者の複数種類の生体情報がそれぞれ測定され、所定の選択基準に基づいて、測定された複数種類の生体情報それぞれのうちから記録として残す生体情報の種類ごとの記録生体情報が選択され、選択された記録生体情報が、事後的に確認可能なように記録される。その結果、効率よく信頼性の高い生体情報を確実に記録することができる。
【００６３】
（２）  また、生体情報測定システム１０Ａによって、図４のステップＳ１１７で説明したように、選択された記録生体情報を記録するか否かの確認の入力を受付けられ、図４のステップＳ１１８で説明したように、記録するとの入力が受付けられた記録生体情報が記録される。
【００６４】
（３）  また、生体情報測定システム１０Ａは、複数の測定部１５０をそれぞれ備える複数の生体情報測定装置１００と、記憶部２２０を備えるサーバ２００とを含む。
【００６５】
（４）  また、生体情報測定システム１０Ａは、複数の測定部１５０をそれぞれ備える複数の生体情報測定装置１００を含み、そのうちの１つによって、さらに、所定の選択基準に基づいて、生体情報測定装置１００によって測定された複数種類の生体情報それぞれのうちから記録として残す生体情報の種類ごとの記録生体情報が選択される。
【００６６】
（５）  また、生体情報測定システム１０Ａは、複数の測定部１５０をそれぞれ備える複数の生体情報測定装置１００を含み、生体情報測定装置１００のうちの１つ（本実施の形態においては血圧計１００Ａ）によって、さらに、所定の選択基準（本実施の形態においては、最新の生体情報を選択するという基準）に基づいて、生体情報測定装置１００によって測定された複数種類の生体情報それぞれのうちから記録として残す生体情報の種類ごとの記録生体情報が選択される。
【００６７】
（６）  さらに、生体情報測定装置１００は、計時機能付の生体情報測定装置（本実施の形態においては血圧計１００Ａ）と計時機能無の生体情報測定装置（本実施の形態においては体温計１００Ｂ、パルスオキシメータ１００Ｃ）とを含む。計時機能付の生体情報測定装置によって、測定部１５０によって生体情報が測定された時刻が特定される。サーバ２００によって、ホストの生体情報測定装置１００によって選択された記録生体情報のうち、計時機能付の生体情報測定装置の測定部１５０によって測定された記録生体情報の測定時刻として、特定された時刻が記録されるとともに、計時機能無の生体情報測定装置の測定部１５０によって測定された記録生体情報の測定時刻として、計時機能無の生体情報測定装置から計時機能付の生体情報測定装置に生体情報が送信された時刻が記録される。
【００６８】
（７）  なお、次のようにしてもよい。生体情報測定装置１００は、計時機能付の生体情報測定装置（本実施の形態においては血圧計１００Ａ）と計時機能無の生体情報測定装置（本実施の形態においては体温計１００Ｂ、パルスオキシメータ１００Ｃ）とを含む。計時機能付の生体情報測定装置によって、測定部１５０によって生体情報が測定された時刻が特定される。サーバ２００によって、ホストの生体情報測定装置１００によって選択された記録生体情報のうち、計時機能付の生体情報測定装置の測定部１５０によって測定された記録生体情報の測定時刻として、特定された時刻が記録されるとともに、計時機能無の生体情報測定装置の測定部１５０によって測定された記録生体情報の測定時刻として、計時機能無の生体情報測定装置から計時機能付の生体情報測定装置に生体情報が送信された時間に最も近い生体情報の測定時刻として特定された時刻が記録される。
【００６９】
［第２の実施の形態］
第１の実施の形態においては、時間帯を特に区切ることなく、前回確定後の生体情報から、図４のステップＳ１１２で確定候補が選択され、ステップＳ１１８で確定された確定生体情報がサーバ２００に送信されるようにした。第２の実施の形態においては、前回確定後、現在までの複数の時間帯（たとえば、複数の２時間の時間帯）ごとに、生体情報から確定候補が選択され、確定生体情報がサーバ２００に送信されるようにする。
【００７０】
第２の実施の形態の場合は、図４のステップＳ１１２で、時間帯ごとに、履歴のうち書く生体情報の最新のものを確定候補として表示させるようにする。
【００７１】
図１１は、第２の実施の形態におけるホストの生体情報測定機器１００の確定候補の表示画面を示す図である。図１１を参照して、ここでは、測定履歴には、１５時から１７までの時間帯、および、１７時から１９までの時間帯の２つの時間帯のものが含まれ、それぞれの時間帯ごとに、確定候補の生体情報が枠付きで表示されている。なお、それぞれの時間帯ごとの確定候補を色分けをして表示するようにしてもよい。
【００７２】
以上説明したように第２の実施の形態の生体情報測定システムによれば、第１の実施の形態で説明した効果に加えて、次のような効果が奏される。
【００７３】
（１）  生体情報測定システムによって、生体情報の種類ごとに各時間帯ごとの最新の生体情報を選択するという選択基準に基づいて、生体情報が選択される。
【００７４】
このため、時間帯ごとに生体情報を測定する必要がある場合であっても、複数の時間帯について、一度に、生体情報を自動選択することが可能になる。
【００７５】
［第３の実施の形態］
第１の実施の形態においては、図４のステップＳ１１２で行なわれる生体情報の選択は、最新の生体情報を選択するという基準に基づいて行なわれるようにした。第３の実施の形態においては、生体情報の選択は、測定された生体情報の算出された信頼度が高い生体情報を選択するという基準に基づいて行なわれるようにする。
【００７６】
図１２は、第３の実施の形態における生体情報測定システム１０Ｂのシステム構成を示す図である。図１２を参照して、第３の実施の形態における生体情報測定システム１０Ｂにおいては、第１の実施の形態における生体情報測定システム１０Ａに含まれる各生体情報測定機器１００で、さらに、測定した生体情報の信頼度を算出するようにする。
【００７７】
図１３は、第３の実施の形態におけるホストの生体情報測定機器１００の未測定時の表示画面を示す図である。図１４は、第３の実施の形態におけるホストの生体情報測定機器１００の測定終了時の表示画面を示す図である。図１３および図１４を参照して、これらの画面図においては、それぞれ、図５および図６で説明した画面図に加えて、各生体情報の信頼度の表示領域を設けるようにする。
【００７８】
図１５は、第３の実施の形態におけるホストの生体情報測定機器１００の確定候補の表示画面を示す図である。図１５を参照して、血圧計１００Ａで測定される生体情報（最高血圧、最低血圧、脈拍）は、１２時０分および１７時３０分に測定されているが、１２時０分に測定された生体情報の方が信頼度が高いため、１２時に測定された生体情報が確定候補として枠付きで表示されている。
【００７９】
また、体温計１００Ｂで測定される生体情報（体温）は、１２時１分および１７時３１分に測定されているが、１２時１分に測定された生体情報の方が信頼度が高いため、１２時１分に測定された生体情報が確定候補として枠付きで表示されている。
【００８０】
以上説明したように第３の実施の形態の生体情報測定システムによれば、第１の実施の形態および第２の実施の形態で説明した効果に加えて、次のような効果が奏される。
【００８１】
（１）  生体情報測定システム１０Ｂによって、測定部１５０によって測定された生体情報の信頼度が算出され、算出された信頼度が高い生体情報を選択するという選択基準に基づいて、生体情報が選択される。
【００８２】
これにより、より良い生体情報のデータがサーバ２００で蓄積されるようにすることができる。
【００８３】
なお、生体情報測定システム１０Ｂによって、測定部１５０によって測定された生体情報の信頼度が算出され、算出された信頼度が所定値以上の生体情報を選択するという選択基準に基づいて、生体情報が選択されるようにしてもよい。
【００８４】
［変形例］
次に、前述した実施の形態の変形例を説明する。
【００８５】
（１）  前述した実施の形態においては、図４のステップＳ１０１、ステップＳ１０２で説明したように、データ収集タイミングであると判断された場合に各生体情報測定機器１００から生体情報を収集するようにした。
【００８６】
しかし、これに限定されず、各生体情報測定機器１００が、それぞれのタイミングで、生体情報を測定し、測定した生体情報をホストの生体情報測定機器１００に送信し、ホストの生体情報測定機器１００は、送信されてきた生体情報を収集するようにしてもよい。
【００８７】
（２）  前述した実施の形態においては、計時機能を有さない生体情報測定機器１００から受信した生体情報の計測時刻は、当該生体情報が計時機能付きのホストの生体情報測定機器１００で受信された時刻であることとした。
【００８８】
しかし、これに限定されず、計時機能を有さない生体情報測定機器１００から受信した生体情報の計測時刻は、ホストの生体情報測定機器１００で確定操作がされた時刻とするようにしてもよいし、当該生体情報が計時機能付きのホストの生体情報測定機器１００で受信された時刻に最も近い時刻に測定された生体情報の測定時刻とするようにしてもよい。
【００８９】
（３）  前述した実施の形態においては、複数のホストの生体情報測定機器１００から受信した、被測定者ごとに確定された生体情報を、サーバ２００で記憶するようにした。しかし、これに限定されず、さらに、複数のサーバ２００で記憶されている、被測定者ごとの確定された生体情報を、さらに上位サーバで記憶するようにしてもよい。
【００９０】
（４）  前述した実施の形態においては、ホストの生体情報測定機器１００から受信した、被測定者ごとに確定された生体情報を、サーバ２００で記憶するようにした。しかし、これに限定されず、いずれかのホストの生体情報測定機器１００が、サーバ２００の機能を有するようにしてもよい。
【００９１】
（５）  前述した実施の形態においては、図４のステップＳ１１７で説明したように、ホストの生体情報測定機器１００で、被測定者ごとの生体情報が確定され、サーバ２００に送信されるようにした。しかし、これに限定されず、ホストの生体情報測定機器１００で収集されたすべての生体情報が、サーバ２００に送信されるようにして、サーバ２００で、被測定者ごとの生体情報が確定され、サーバ２００の上位サーバに送信されるようにしてもよい。
【００９２】
（６）  前述した実施の形態においては、図４のステップＳ１１７で説明したように、ホストの生体情報測定機器１００で、他の生体情報測定機器１００からの生体情報が収集されるようにした。しかし、これに限定されず、サーバ２００が、ホストの生体情報測定機器１００で行われている生体情報の収集を行なうようにしてもよい。つまり、サーバ２００で、すべての生体情報測定機器１００からの生体情報が収集されるようにしてもよい。
【００９３】
（７）  前述した実施の形態においては、生体情報測定システムの発明として説明した。しかし、これに限定されず、生体情報測定システムで実行される生体情報を測定するための方法の発明として捉えることができる。
【００９４】
（８）  今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００９５】
１０Ａ，１０Ｂ  生体情報測定システム、１００  生体情報測定機器、１００Ａ  血圧計、１００Ｂ  体温計、１００Ｃ  パルスオキシメータ、１１０  制御部、１２０  メモリ、１３０  操作部、１４０  表示部、１５０  測定部、１５１  カフ、１９０  通信部、２００  サーバ、２１０  制御部、２２０  記憶部、２３０  操作部、２４０  表示部、２９０  通信部、９００  通信ネットワーク。
【図１】
0005884324.tif 000002
【図２】
0005884324.tif 000003
【図３】
0005884324.tif 000004
【図４】
0005884324.tif 000005
【図５】
0005884324.tif 000006
【図６】
0005884324.tif 000007
【図７】
0005884324.tif 000008
【図８】
0005884324.tif 000009
【図９】
0005884324.tif 000010
【図１０】
0005884324.tif 000011
【図１１】
0005884324.tif 000012
【図１２】
0005884324.tif 000013
【図１３】
0005884324.tif 000014
【図１４】
0005884324.tif 000015
【図１５】
0005884324.tif 000016